【手続補正書】
【提出日】平成16年2月16日(2004.2.16)
【手続補正１】
【補正対象書類名】明細書
【補正対象項目名】特許請求の範囲
【補正方法】変更
【補正の内容】
【特許請求の範囲】
【請求項１】
ネットワーク内に存在する複数のネットワーク機器の各々から管理情報を収集して蓄積すると共に、上記ネットワークの構成を、階層分割した複数のマップによって表示するネットワーク管理システムにインストールされるネットワーク管理ツールであって、いずれかのネットワーク機器に転送されると起動し、ネットワーク管理を行うために必要な情報を、転送先のネットワーク機器で表示する表示プログラムと、ネットワーク管理を要求したネットワーク機器（以下、「管理要求機器」と称す。）に、上記表示プログラムを転送する転送プログラムと、上記管理要求機器に転送された表示プログラムに、該表示プログラムが表示に必要な情報を通知する通知プログラムとを備えて構成され、上記通知プログラムは、上記ネットワーク管理システムが表示する複数のマップのうちの、上記管理要求機器に転送された表示プログラムから指定されたネットワーク機器に関連する部分的なマップを、該表示プログラムに通知する処理を実行し、上記表示プログラムは、転送先の管理要求機器を識別する識別情報を収集し、収集した識別情報を上記通知プログラムに通知することで、該管理要求機器を指定する処理と、上記通知プログラムから通知された部分的なマップを表示する処理とを実行することを特徴とするネットワーク管理ツール。
【請求項２】
ネットワーク内に存在する複数のネットワーク機器の各々から管理情報を収集して蓄積すると共に、上記ネットワークの構成を、階層分割した複数のマップによって表示するネットワーク管理システムにインストールされるネットワーク管理ツールであって、いずれかのネットワーク機器に転送されると起動し、ネットワーク管理を行うために必要な情報を、転送先のネットワーク機器で表示する表示プログラムと、ネットワーク管理を要求したネットワーク機器（以下、「管理要求機器」と称す。）に、上記表示プログラムを転送する転送プログラムと、上記管理要求機器に転送された表示プログラムに、該表示プログラムが表示に必要な情報を通知する通知プログラムとを備えて構成され、上記通知プログラムは、上記ネットワーク管理システムが表示する複数のマップの各々に描かれている構成要素について、これらの構成要素の包含関係を示す包含関係情報を作成し、作成した包含関係情報を、該表示プログラムに通知する処理を実行し、上記表示プログラムは、上記通知プログラムから通知された包含関係情報に基づいて、上記ネットワークの構成を、包含木によって表示する処理を実行することを特徴とするネットワーク管理ツール。
【請求項３】
ネットワーク内に存在する複数のネットワーク機器の各々から管理情報を収集して蓄積すると共に、上記ネットワークの構成を、階層分割した複数のマップによって表示するネットワーク管理システムにインストールされるネットワーク管理ツールであって、いずれかのネットワーク機器に転送されると起動し、ネットワーク管理を行うために必要な情報を、転送先のネットワーク機器で表示する表示プログラムと、ネットワーク管理を要求したネットワーク機器（以下、「管理要求機器」と称す。）に、上記表示プログラムを転送する転送プログラムと、上記管理要求機器に転送された表示プログラムに、該表示プログラムが表示に必要な情報を通知する通知プログラムとを備えて構成され、上記通知プログラムは、上記ネットワーク管理システムが表示する複数のマップの各々に描かれている構成要素のうちの、上記管理要求機器に転送された表示プログラムから指定されたネットワーク機器に関連する構成要素について、これらの構成要素の包含関係を示す包含関係情報を作成し、作成した包含関係情報を、該表示プログラムに通知する処理を実行し、上記表示プログラムは、転送先の管理要求機器を識別する識別情報を収集し、収集した識別情報を上記通知プログラムに通知することで、該管理要求機器を指定する処理と、上記通知プログラムから通知された包含関係情報に基づいて、転送先の管理要求機器に関連する部分的なネットワークの構成を、包含木によって表示する処理とを実行することを特徴とするネットワーク管理ツール。
【請求項４】
請求項３記載のネットワーク管理ツールであって、上記表示プログラムは、包含木に描いた構成要素のうちのいずれかが選択指示された場合に、該選択指示された構成要素に包含される全ての構成要素を描いているならば、これらの構成要素を削除する処理と、包含木に描いた構成要素のうちのいずれかが選択指示された場合に、該選択指示された構成要素に包含される全ての構成要素を描いていないならば、該選択指示された構成要素の包含関係情報を、上記通知プログラムに要求する処理と、上記包含関係情報の要求に対して上記通知プログラムから通知された包含関係情報に基づいて、上記選択指示された構成要素に関連する部分的なネットワークの構成を、包含木によって、既に表示済みの包含木に追加表示する処理とをさらに実行し、上記通知プログラムは、上記管理要求機器に転送された表示プログラムから包含関係情報の要求があると、上記ネットワーク管理システムが表示する複数のマップの各々に描かれている構成要素のうちの、該表示プログラムから包含関係情報を要求された構成要素について、これらの構成要素の包含関係を示す包含関係情報を作成し、作成した包含関係情報を、該表示プログラムに通知する処理をさらに実行することを特徴とするネットワーク管理ツール。
【請求項５】
請求項２，３または４記載のネットワーク管理ツールであって、上記通知プログラムは、上記ネットワーク管理システムが表示する複数のマップの各々に描かれている構成要素ごとに、該構成要素が描かれているマップの１つ下位の階層のマップに描かれている構成要素の数（以下、「下位要素数」と称す。）を計算し、計算した下位要素数を、上記管理要求機器に転送された表示プログラムに通知する処理をさらに実行し、上記表示プログラムは、上記通知プログラムから通知された下位要素数を、包含木に描いた構成要素と共に表示する処理をさらに実行することを特徴とするネットワーク管理ツール。
【請求項６】
請求項１，２，３，４または５記載のネットワーク管理ツールであって、上記表示プログラムは、転送先の管理要求機器で表示した内容のうち、該管理要求機器に関する部分を強調表示する処理をさらに実行することを特徴とするネットワーク管理ツール。
【請求項７】
請求項１，２，３，４，５または６記載のネットワーク管理ツールであって、上記表示プログラムは、転送先の管理要求機器の性能を示す性能情報を収集し、収集した性能情報を上記通知プログラムに通知する処理をさらに実行し、上記通知プログラムは、上記管理要求機器に転送された表示プログラムから通知された性能情報に応じて、該表示プログラムに通知する情報の詳細度を変更する処理をさらに実行することを特徴とするネットワーク管理ツール。
【請求項８】
ネットワーク内に存在する複数のネットワーク機器の各々から管理情報を収集して蓄積するネットワーク管理システムにインストールされるネットワーク管理ツールであって、いずれかのネットワーク機器に転送されると起動し、ネットワーク管理を行うために必要な情報を、転送先のネットワーク機器で表示する表示プログラムと、ネットワーク管理を要求したネットワーク機器（以下、「管理要求機器」と称す。）に、上記表示プログラムを転送する転送プログラムと、上記管理要求機器に転送された表示プログラムに、該表示プログラムが表示に必要な情報を通知する通知プログラムとを備えて構成され、上記通知プログラムは、上記ネットワーク管理システムが蓄積している管理情報のうちの、上記管理要求機器に転送された表示プログラムから指定されたネットワーク機器に関連するネットワーク機器の管理情報の一覧を、該表示プログラムに通知する処理を実行し、上記表示プログラムは、転送先の管理要求機器を識別する識別情報を収集し、収集した識別情報を上記通知プログラムに通知することで、該管理要求機器を指定する処理と、上記通知プログラムから通知された管理情報の一覧を表示する処理とを実行することを特徴とするネットワーク管理ツール。
【請求項９】
請求項８記載のネットワーク管理ツールであって、上記ネットワークシステムは、上記ネットワークの構成を、階層分割した複数のマップによって表示し、上記通知プログラムは、上記ネットワーク管理システムが表示する複数のマップのうちの、上記管理要求機器の表示プログラムから指定されたネットワーク機器と同じマップについて、該マップに構成要素として描かれているネットワーク機器を、該ネットワーク機器に関連するネットワーク機器として求める処理をさらに実行することを特徴とするネットワーク管理ツール。
【請求項１０】
請求項９記載のネットワーク管理ツールであって、上記表示プログラムは、転送先の管理要求機器で表示すべき管理情報の対象を拡大する旨を、上記通知プログラムに要求する処理と、上記拡大要求に対して上記通知プログラムから通知された管理情報のうちの、既に表示済みの管理情報以外の管理情報の一覧を追加表示する処理とをさらに実行し、上記通知プログラムは、上記管理要求機器に転送された表示プログラムから拡大要求があると、該表示プログラムに前回の通知を行ったときに求めたマップの１つ上位の階層のマップについて、該マップの最下位の階層のマップに構成要素として描かれているネットワーク機器を求め、上記ネットワーク管理システムが蓄積している管理情報のうちの、求めたネットワーク機器の管理情報の一覧を、該表示プログラムに通知する処理をさらに実行することを特徴とするネットワーク管理ツール。
【請求項１１】
請求項１０記載のネットワーク管理ツールであって、上記表示プログラムは追加表示すべき管理情報の表示態様を変更する処理をさらに実行することを特徴とするネットワーク管理ツール。